(57)【要約】【課題】低騒音でありながら消費電力低減を図った送風機を提供することを目的とする。【解決手段】ハブ４と、ハブ４の周囲に設けられた複数の羽根２とで構成された羽根車３と、羽根車３の外周端部６の負圧面側に外周側を凹とした断面が略コの字の溝５を設けた構成とし、溝５の各高さＨ１、Ｈ２、・・Ｈｎはそれぞれ等しい構成とすることで、翼２で発生する渦が剥離するのでなく羽根２の後縁まで羽根２に付着しているため回転方向で次の翼に衝突せず、これにより騒音の低減と送風効率の向上させることが可能となる。【選択図】図１
2006214371.tif 000002
【特許請求の範囲】
【請求項１】
モータと、前記モータに取り付けられたハブと、前記ハブの周囲に設けられた複数の羽根とで構成された羽根車と、前記羽根車の外周端部の負圧面側に外周側を凹とした断面が略コの字の溝を設けた送風機。
【請求項２】
溝の各最大高さが羽根の前縁から後縁にかけて拡大することを特徴とする、請求項１に記載の送風機。
【請求項３】
溝を羽根の略中央から後縁にかけて設けたことを特徴とする、請求項１に記載の送風機。
【発明の詳細な説明】
【技術分野】
【０００１】
本発明は送風機に関し、特に軸流ファンに関するものである。
【背景技術】
【０００２】
空気調和機の室外機では、軸流式送風ファンの送風機が使用されている。
【０００３】
従来の送風機を図５〜図８に示す（例えば、特許文献１参照）。
【０００４】
一般的なこの種の送風機１は、図８に示すように、ハブ４と、ハブ４の周囲に設けられた空気の流出方向にある翼後縁部２ｃと空気の導入方向にある翼前縁部２ｂと外周を形成する翼外周部２ｄを備え、翼後縁部の輪郭線αは空気の流出方向とは導入方向に凹となる逆円弧状の縁をもって形成された複数の羽根２で構成された羽根車３を設けた構成となっている。
【０００５】
図８のように構成することによって図６に示す翼後縁渦、すなわち、翼の正圧面から負圧面への流れが引き起こす渦が図７に示す様に回転方向で次の翼の後縁に衝突し騒音発生することなく、送風機の低騒音化が図られている。
【特許文献１】特開２００２−２５７０８８号公報
【発明の開示】
【発明が解決しようとする課題】
【０００６】
しかしながら前記従来の構成では、逆円弧状とすることでハブ付近の翼弦長が短くなるため仕事量がへり所定風量を得るための回転数が高くなり電動機の消費電力増加を招くこととなる。
【０００７】
本発明は、上記従来の課題を解決するもので、低騒音で且つ消費電力低減を図った送風機を提供することを目的とする。
【課題を解決するための手段】
【０００８】
前記従来の課題を解決するために、本発明の送風機は、モータと、前記モータに取り付けられたハブと、前記ハブの周囲に設けられた複数の羽根とで構成された羽根車と、前記羽根車の外周端部の負圧面側に外周側を凹とした断面が略コの字の溝を設けた構成とし翼で発生する渦が剥離するのを抑制し、これにより騒音の低減と送風効率の向上させることが可能となる。
【０００９】
また、本発明の送風機は、前記溝の各最大高さが羽根の前縁から後縁にかけて拡大する様にしたものである。
【００１０】
これによって、大風量時もしくは高静圧時の大きな渦を吸収でき、これにより騒音の低減と送風効率の向上させることが可能となる。
また、本発明の送風機は、前記溝を羽根の略中央から後縁にかけて設けたものである。これによって、渦剥離付近までは羽根を従来の形態で使用でき渦剥離域から渦剥離防止状態とすることができより良い性能が得られる、これにより騒音の低減と送風効率の向上させることが可能となる。
【発明の効果】
【００１１】
上記のように、本発明の送風機は、騒音の低減と送風効率を向上させることができる。
【発明を実施するための最良の形態】
【００１２】
第１の発明は、モータと、前記モータに取り付けられたハブと、前記ハブの周囲に設けられた複数の羽根とで構成された羽根車と、前記羽根車の外周端部の負圧面側に外周側を凹とした断面が略コの字の溝を設けたもので、この構成をなすことにより、翼で発生する渦が剥離するのを抑制し、騒音の低減と送風効率の向上させることが可能となる。
【００１３】
第２の発明は、特に第１の発明の溝の各最大高さが羽根の前縁から後縁にかけて拡大させたもので、この構成をなすことにより、大風量時もしくは高静圧時の大きな渦を吸収でき、さらに騒音の低減と送風効率の向上させることが可能となる。
【００１４】
第３の発明は、特に第１の発明の溝を羽根の略中央から後縁にかけて設けたもので、この構成をなすことにより、渦剥離が多い部分にのみ溝を設けてより良い性能が得られ、騒音の低減と送風効率の向上させることが可能となる。
【００１５】
以下、本発明の各実施の形態を図１〜図４に基づいて説明する。なお、この実施の形態によって本発明が限定されるものではない。
【００１６】
（実施の形態１）
図１〜図２は本発明の（実施の形態１）の送風機を示す。
【００１７】
ハブ４と、ハブ４の周囲に設けられた複数の羽根２とで構成された羽根車３と、羽根車３の外周端部６の負圧面側に外周側を凹とした略コの字の溝５を設けた構成となっている。
【００１８】
図１に示す様にこの溝５の各高さＨ１、Ｈ２、・・Ｈｎはそれぞれ等しい。
【００１９】
このように構成したため、図２に示す様に翼で発生する渦が剥離するのでなく羽根後縁まで羽根に付着しているため回転方向で次の翼に衝突せず、これにより騒音の低減と送風効率の向上させることが可能となる。
【００２０】
（実施の形態２）
図３は本発明の実施の形態２の送風機を示す。
【００２１】
実施の形態１とは図３に示す様にこの溝の各高さＨ１、Ｈ２、・・Ｈｎが羽根の前縁から後縁にかけて増加していく点が異なっている。
【００２２】
これにより前縁から後縁にかけて渦が発達することを妨げることなく、また渦が剥離するのでなく羽根後縁まで羽根に付着しているため、回転方向で次の翼に衝突せず、これにより騒音の低減と送風効率の向上させることが可能となる。
【００２３】
（実施の形態３）
図４は本発明の実施の形態３の送風機を示す。
【００２４】
実施の形態１とは図４に示す様にこの溝が羽根の前縁から任意の位置までは無く任意位置から溝を設けた点が異なっている。
【００２５】
これにより前縁から後縁にかけて渦が発達することを妨げることなく、また渦が剥離するのでなく羽根後縁まで羽根に付着しているため、回転方向で次の翼に衝突せず、これにより騒音の低減と送風効率の向上させることが可能となる。
【産業上の利用可能性】
【００２６】
以上のように、本発明にかかる送風機は、騒音の低減と送風効率の向上とが可能となるので、空調用の軸流式送風機のみならず、冷却ファンや換気扇等の送風機にも適用出来る。
【図面の簡単な説明】
【００２７】
【図１】本発明の実施の形態１における送風機の拡大断面図
【図２】同実施形態の送風機の渦流れ図
【図３】本発明の実施の形態２における送風機の拡大断面図
【図４】本発明の実施の形態３における送風機の拡大断面図
【図５】従来の送風機における送風機の拡大断面図
【図６】従来の送風機の斜視図
【図７】従来の送風機の渦流れ図
【図８】従来の送風機の平面図
【符号の説明】
【００２８】
１  送風機
２  羽根
３羽根車
４ハブ
５溝
６外周部
【図１】
2006214371.tif 000003
【図２】
2006214371.tif 000004
【図３】
2006214371.tif 000005
【図４】
2006214371.tif 000006
【図５】
2006214371.tif 000007
【図６】
2006214371.tif 000008
【図７】
2006214371.tif 000009
【図８】
2006214371.tif 000010